(57)【要約】【課題】暗号化されているコンテンツを復号するための鍵の取得状況等を容易に把握できるようにする。【解決手段】ディジタルシネマ管理装置コントロール部は、再生装置でコンテンツを復号するときに用いる鍵の管理を行うための管理画面を表示部に表示させる。管理画面では、再生装置を列項目、再生装置で上映されるコンテンツを行項目とした配列表示を行い、再生装置と上映されるコンテンツとによって示される配列位置に、この配列位置に対応する再生装置で配列位置に対応するコンテンツを復号するときに用いる鍵の状態を例えばアイコンで表示する。また、アイコンの表示によって、鍵の取得状態と鍵の有効期間に関する状態の少なくともいずれかの状態を識別可能とする。アイコンによって鍵の取得状況等を容易に把握できる。【選択図】        図４
2010233070.tif 000002
【特許請求の範囲】
【請求項１】
再生装置でコンテンツの上映を行うときに用いる鍵の管理と、該鍵の管理を行うための管理画面の表示制御を行うコントロール部を備え、
前記コントロール部は、前記管理画面において配列表示を行い、前記再生装置と上映される前記コンテンツとによって示される配列位置に、該配列位置に対応する再生装置で該配列位置に対応するコンテンツを復号するときに用いる鍵の状態を示す表示を設ける
ディジタルシネマ管理装置。
【請求項２】
前記コントロール部は、前記鍵の状態を示す表示として、鍵の取得状態と鍵の有効期間に関する状態の少なくともいずれかの状態を識別可能とする表示を設けた
請求項１記載のディジタルシネマ管理装置。
【請求項３】
前記コントロール部は、前記コンテンツを上映するための有効な鍵が存在しないとき、上映日までの日数に応じて緊急度の判別を行い、前記有効な鍵が存在しないコンテンツと該コンテンツの上映を行う前記再生装置とによって示される配列位置の表示属性を、前記緊急度に応じて切り替える
請求項２記載のディジタルシネマ管理装置。
【請求項４】
前記コントロール部は、前記緊急度に応じて前記表示の背景色を切り替える
請求項３記載のディジタルシネマ管理装置。
【請求項５】
前記コントロール部は、前記鍵の状態を示す表示が選択されたとき、該選択された表示に対応する鍵の有効期間を前記管理画面上に表示させる
請求項１記載のディジタルシネマ管理装置。
【請求項６】
前記管理画面では、前記再生装置と該再生装置で上映されるコンテンツのいずれか一方を列項目、他方を行項目とした配列表示を行い、
前記コントロール部は、前記再生装置と前記上映されるコンテンツとによって示される配列位置に、該配列位置に対応する再生装置で上映されるコンテンツに対応した鍵についての状態を示すアイコンを設けた
請求項１記載のディジタルシネマ管理装置。
【請求項７】
表示部において、再生装置でコンテンツを復号するときに用いる鍵の管理を行うための管理画面を表示するステップと、
コントロール部で、前記管理画面において配列表示を行い、前記再生装置と上映される前記コンテンツとによって示される配列位置に、該配列位置に対応する再生装置で該配列位置に対応するコンテンツを復号するときに用いる鍵の状態を示す表示を設けるステップとを備える
ディジタルシネマ管理方法。
【発明の詳細な説明】
【技術分野】
【０００１】
この発明は、ディジタルシネマ管理装置とディジタルシネマ管理方法に関する。詳しくは、上映が予定されているコンテンツのデータを復号化する際に用いる鍵の状態を容易に把握できるように表示する。
【背景技術】
【０００２】
映画を取り巻く環境は、ディジタル技術の進歩によりフィルムからディジタル信号へと変化し、ビデオ機材を使用した映画の制作、プロジェクタ等を用いた映画の上映等が行われている。このようなディジタルシネマの実現には、制作者の意図するイメージやサウンドを忠実に再現するための映像・音声技術に加え、データ圧縮技術や著作権保護のための暗号化処理技術などが用いられている。
【０００３】
また、映画を上映する場合、映画配給会社に設置されたサーバで作成された所定の形式のデータを各劇場に提供し、各劇場では提供されたデータを再生装置で再生して、ディジタルシネマを上映することが行われる。なお、映画配給会社から各劇場に提供されるデータの形式としては、例えばディジタルシネマイニシアチブ（ＤＣＩ：Digital Cinema Initiative）が提唱した仕様に準拠するディジタルシネマパッケージ（ＤＣＰ：Digital Cinema Package）と呼ばれる形式が用いられている。
【０００４】
また、特許文献１では、画面表示を見て、上映するコンテンツの編集や編成および上映スケジュールの作成を一括して行うようにして、映画上映番組データを上映用サーバユニットに送出すると共に、コンテンツをシネマサーバに送出することが開示されている。
【先行技術文献】
【特許文献】
【０００５】
【特許文献１】特開２００３−２４４６２５号公報
【発明の概要】
【発明が解決しようとする課題】
【０００６】
ところで、映画配給会社から各劇場に提供されるコンテンツのデータは、コンテンツに対する不正なアクセス、コピー、編集、再生を防ぐために暗号化が行われる。このため、暗号化されているデータを復号化するための鍵を上映の前に取得しておかなければならない。しかし、オーディトリアム（Auditorium）の数が多くなると、コンテンツの上映に際して鍵の取得が完了しているか否かの管理が複雑となる。
【０００７】
そこで、この発明では、暗号化されているコンテンツを復号するための鍵の取得状況等を容易に把握できるディジタルシネマ管理装置とディジタルシネマ管理方法を提供することを目的とする。
【課題を解決するための手段】
【０００８】
この発明の第１の側面は、再生装置でコンテンツの上映を行うときに用いる鍵の管理と、該鍵の管理を行うための管理画面の表示制御を行うコントロール部を備え、前記コントロール部は、前記管理画面において配列表示を行い、前記再生装置と上映される前記コンテンツとによって示される配列位置に、該配列位置に対応する再生装置で該配列位置に対応するコンテンツを復号するときに用いる鍵の状態を示す表示を設けるディジタルシネマ管理装置にある。
【０００９】
この発明において、再生装置でコンテンツの上映を行うときに用いる鍵の管理を行うコントロール部は、鍵の管理を行うための管理画面において、例えば再生装置と再生装置で上映されるコンテンツのいずれか一方を列項目、他方を行項目とした配列表示を行い、再生装置と上映されるコンテンツとによって示される配列位置に、この配列位置に対応する再生装置で配列位置に対応するコンテンツを復号するときに用いる鍵の状態を、例えば鍵の取得状態と鍵の有効期間に関する状態の少なくともいずれかの状態を識別可能にアイコンで表示する。また、コントロール部は、コンテンツを上映するための有効な鍵が存在しないとき、上映日までの日数に応じて緊急度の判別を行い、有効な鍵が存在しないコンテンツとこのコンテンツの上映を行う再生装置とによって示される配列位置の表示属性、例えば表示の背景色を緊急度に応じて切り替える。また、コントロール部は、鍵の状態を示す表示が選択されたとき、この選択された表示に対応する鍵の有効期間を表示させる。
【００１０】
この発明の第２の側面は、表示部において、再生装置でコンテンツを復号するときに用いる鍵の管理を行うための管理画面を表示するステップと、コントロール部で、前記管理画面において配列表示を行い、前記再生装置と上映される前記コンテンツとによって示される配列位置に、該配列位置に対応する再生装置で該配列位置に対応するコンテンツを復号するときに用いる鍵の状態を示す表示を設けるステップとを備えるディジタルシネマ管理方法にある。
【発明の効果】
【００１１】
この発明によれば、コンテンツの上映を行うときに用いる鍵の管理を行う管理画面において配列表示が行われて、再生装置と上映されるコンテンツとによって示される配列位置に、この配列位置に対応する再生装置でこの配列位置に対応するコンテンツを復号するときに用いる鍵の状態を示す表示が設けられる。このため、暗号化されているコンテンツを復号するための鍵の状況等を容易に把握できる。
【図面の簡単な説明】
【００１２】
【図１】ディジタルシネマシステムの概略構成を示す図である。
【図２】ディジタルシネマパッケージＤＣＰのファイル構成を示す図である。
【図３】管理装置と再生装置の構成を例示した図である。
【図４】鍵の管理を行うための管理画面を例示した図である。
【図５】コントロール部の動作を示すフローチャートである。
【図６】コンテンツの状態を表示するときに用いるアイコンを例示した図である。
【図７】ＫＤＭの状態を表示するときに用いるアイコンを例示した図である。
【図８】アイコン切り替え時間設定画面を例示した図である。
【図９】コンテンツ状態３についての表示例を示す図である。
【図１０】ＤＣＰ／ＫＤＭリスト表示を例示した図である。
【図１１】チェックテーブルを例示した図である。
【図１２】緊急度の判別結果を例示した図である。
【図１３】緊急度設定表示を例示した図である。
【図１４】緊急度に応じた表示の属性切り替えを例示した図である。
【図１５】緊急度表示と有効期間表示を行ったときのＤＣＰ／ＫＤＭリスト表示を例示した図である。
【発明を実施するための形態】
【００１３】
以下、発明を実施するための形態について説明する。なお、説明は以下の順序で行う。
１．ディジタルシネマシステムの構成
２．ディジタルシネマパッケージＤＣＰの構成
３．管理装置と再生装置の構成
４．管理装置の動作
【００１４】
＜１．ディジタルシネマシステムの構成＞
図１は、ディジタルシネマシステムの概略構成を示している。ディジタルシネマシステム１０は、ディジタルシネマ管理装置（以下「管理装置」という）２０とセントラルストレージ装置（以下「ストレージ装置」という）３０およびオーディトリアム（Auditorium）毎に設置された再生装置４０を用いて構成されている。
【００１５】
管理装置２０は、再生装置４０を用いて上映するコンテンツのスケジュール作成等を行う。また、管理装置２０は、再生装置４０で上映するコンテンツのデータをストレージ装置３０から読み出して再生装置４０に供給する。
【００１６】
ストレージ装置３０は、各再生装置４０で上映するコンテンツのデータ等を記憶する。このストレージ装置３０は、例えばＲＡＩＤ（Redundant Arrays of Inexpensive Disks)を利用した記憶装置が用いられる。
【００１７】
再生装置４０は、コンテンツ記憶部やデコード部、プロジェクタ、音声出力部等を備えている。再生装置４０は、コンテンツ記憶部に記憶されているコンテンツのデータをスケジュールにしたがってデコード部に供給する。デコード部は、コンテンツのデータを復号して得られた映像や字幕のデータをプロジェクタに出力する。また、デコード部は、コンテンツのデータを復号して得られた音声のデータを音声出力部に出力する。このようにして、オーディトリアムに設置されている再生装置４０によってディジタルシネマの上映が可能となる。
【００１８】
管理装置２０は、スケジューリングされた上映の前に新聞や他のソースに上映予定を提供する劇場チケットシステム（図示せず）と接続されている。なお、上映予定では、いずれのオーディトリアムでどのような映画をいつ上映するか等を示すイベントの情報が提供される。管理装置２０は、劇場チケットシステムからイベントに関する情報を取得してスケジュール作成を行う。
【００１９】
管理装置２０は、例えばショーテンプレートを用いたスケジュール作成を行う。管理装置２０は、ショーテンプレートを表示する。上映オペレータは、ショーテンプレートにしたがって、シネアド（劇場用広告）やトレーラー（映画告知）映画本編等を設定する。例えばディジタルシネマパッケージ（ＤＣＰ：Digital Cinema Package）と呼ばれる形式を用いる場合、後述するコンポジションプレイリストＣＰＬやコンポジションプレイリストＣＰＬをグループ化したプログラムをショーテンプレートに設定する。このようにショーテンプレートを利用することで、上映オペレータは、スケジュール作成を容易に行うことができる。
【００２０】
ここで、１つのイベントにおいてショーテンプレートに設定されたリストに基づいた上映を「ショー」と呼ぶ。また、ショーテンプレートに設定されたリストをまとめて「ショープレイリスト」と呼ぶ。すなわち、ショープレイリストに基づいたデータの再生等を行うことによって、１つのイベントにおけるショーが行われることになる。また、イベントとショープレイリストを関係付けることで、イベントで示された時刻にショープレイリストに基づいたデータの再生等を行うことで、各イベントの時刻でショーを行うことができる。なお、ショーでは、照明の制御やスクリーンサイズ等の制御も行われる。
【００２１】
また、ディジタルシネマシステム１０で用いられる形式は、ディジタルシネマパッケージＤＣＰ（以下「ＤＣＰ」という）に限られるものではなく、例えばシネアドではＭＰＥＧ形式等も用いられる。
【００２２】
さらに、コンテンツのデータは、不正なアクセス、コピー、編集、再生を防ぐために暗号化されている場合がある。この場合、暗号化されているデータの復号に用いる鍵を、コンテンツの上映前に取得しておかなければならない。例えばディジタルシネマイニシアチブ（ＤＣＩ：Digital Cinema Initiative）が提唱した仕様では、鍵配信メッセージＫＤＭ（Key Delivery Message）が規定されている。鍵配信メッセージＫＤＭ（以下「ＫＤＭ」という）は、コンテンツ上映に対する許可やそれに必要な情報を特定の劇場に提供する資格付与メッセージである。したがって、例えばＤＣＰ形式のデータを再生装置４０で上映してコンテンツの上映を行う場合、管理装置２０は、コンテンツの上映前にＫＤＭを再生装置４０に記憶させておく。このようにすれば、コンテンツのデータが暗号化されていても再生装置４０でコンテンツの上映が可能となる。
【００２３】
＜２．ディジタルシネマパッケージＤＣＰの構成＞
次に、一般的なＤＣＰのファイル構成について説明する。図２は、一般的なＤＣＰのファイル構成を示す説明図である。
【００２４】
ディジタルシネマのコンテンツは、ディジタルシネマイニシアチブ（ＤＣＩ：Digital Cinema Initiative）が提唱した仕様に準拠するＤＣＰと呼ばれるデータ形式で配給される。ＤＣＰは、ディジタルシネマの上映に必要な各種のデータファイルの集合である。
【００２５】
ＤＣＰは、図２に示すように、アセットマップＡＭ（Asset Map）、ボリュームインデックスＶＩ（Volume Index）、パッキングリストＰＬ（Packing List）、コンポジションプレイリストＣＰＬ（Composition Play List）を含む。さらに、ＤＣＰは、ピクチャートラックファイル（Picture Track file）、サウンドトラックファイル（Sound Track file）等を含む。これらの各ファイルには、それぞれグローバルユニークな識別情報、例えばＵＵＩＤ(Universal Unique Identifier)が付与されており、各ファイルのＵＵＩＤは、当該各ファイル内に記述されている。以下に、ＤＣＰを構成する各ファイルについてそれぞれ説明する。
【００２６】
・アセットマップＡＭ（Asset Map）
アセットマップには、１つのＤＣＰに含まれる全ファイル（アセットマップ自体は除く。）に関するリストが記述されている。アセットマップには、例えばＤＣＰ内の各ファイルに記載されたＵＵＩＤと、当該ファイルのファイル名とを対応づけたリストが記載されている。アセットマップは、利用者が、ＤＣＰ内に含まれる各ファイルを確認するためなどに利用できる。このアセットマップはディジタルシネマ単位で作成されて、後述するようにＤＣＰが分割されたときも、１つのディジタルシネマについては、複数の分割ＤＣＰで共通の１つのアセットマップのみが作成される。なお、後述のサブタイトル用ＰＮＧファイルは、ＵＵＩＤを記述できないフォーマットとなっている。したがって、アセットマップにおいて各ＰＮＧファイルのファイル名と、そのＵＵＩＤとを関連づけて記述しておくことで、各ＰＮＧファイルとＵＵＩＤとを対応づけできる。
【００２７】
・ボリュームインデックスＶＩ（Volume Index）
ボリュームインデックスには、ＤＣＰが複数の分割単位（分割ＤＣＰ）に分割されたときに、各分割単位を識別するためのインデックス情報が記載される。
【００２８】
・パッキングリストＰＬ（Packing List：ＰＬ）
パッキングリストには、１つのＤＣＰに含まれる全ファイル（ＰＬ自体は除く。）のＵＵＩＤとハッシュ値とを関連づけたリストが記載されている。ハッシュ値は、ＤＣＰ内の各ファイルのデータをハッシュ計算した値である。このパッキングリストに記述された各ファイルのハッシュ値と、実際に求めた当該各ファイルのハッシュ値とを比較して、一致度をチェックすることにより、当該各ファイルの完全性（データ破損の有無など）を検証できる。
【００２９】
・コンポジションプレイリストＣＰＬ（Composition Play List）
コンポジションプレイリストＣＰＬ（以下「ＣＰＬ」という）は、ＤＣＰに含まれるコンテンツ（映像、音声、字幕）の上映に使用されるプレイリストである。ＣＰＬは、ディジタルシネマの各々の上映バージョンに対応するピクチャートラックファイルと、サウンドトラックファイル（および／またはサブタイトルトラックファイル）とを相互に関連づけるリンク情報である。このＣＰＬは、１つのディジタルシネマの上映バージョン単位で作成される。
【００３０】
ＣＰＬには、映像ファイルであるピクチャートラックファイル、音声ファイルおよび／または字幕ファイルに関し、各ファイルのＵＵＩＤと、各ファイルのデータの開始位置（entry point）および尺の長さ(duration)とが全リール分まとめて記述される。ここで、リールとは、映像および音声（必要に応じて字幕)をあわせた１つの上映単位を、時間的に細分化した単位である。例えば、１つのディジタルシネマ（１２０分）を時間的に１０個に均等分割した場合には、１０個のリール（１２分単位）が作成される。また、開始位置（entry point）は、各リールの映像または音声ファイルのデータの上映開始位置を示すオフセットである。尺の長さ(duration)は、その開始位置からの有効なデータ範囲を示すサイズ情報である。
【００３１】
１つのディジタルシネマが複数リールから構成される場合は、ＣＰＬには、それら全てのリール情報（各リールを構成する映像、音声、字幕ファイルのＵＵＩＤ、その開始位置および尺の長さ）が記述されており、これら全てのリールが１つの上映単位となる。通常は、ディジタルシネマは複数のリールで構成されるので、これら全てのリールに関するリール情報が、１つのＣＰＬにまとめて記述される。
【００３２】
上映バージョンとは、ディジタルシネマの１つの上映単位を意味しており、例えば、言語バージョン（英語音声版、日本語音声版、日本語字幕版など）などである。ＣＰＬは、１つのディジタルシネマの上映バージョン毎にそれぞれ作成される。
【００３３】
・ピクチャートラックファイル（Picture Track file）
ピクチャートラックファイルは、所定の形式で圧縮された映像データのファイルである。ピクチャートラックファイルは、必要なリール数分存在する。また、同一シーンについて複数種類の映像ファイル（例えば、オリジナル版の映像と差替版の映像）を作成することもできる。
【００３４】
・サウンドトラックファイル（Sound Track file）
サウンドトラックファイルは、所定の形式で圧縮された音声データのファイルである。このサウンドトラックファイルは、必要なリール数分存在する。また、同一シーンについて複数種類の音声ファイル（例えば、オリジナル版の音声と差替版の音声）を作成することもできる。
【００３５】
なお、ＤＣＰには、字幕表示を行うためのファイル（図示せず）等も設けられる。
【００３６】
＜３．管理装置と再生装置の構成＞
図３は、管理装置２０と再生装置４０の構成を例示した図である。
【００３７】
管理装置２０は、コントロール部２０１、入力部２０２、表示部２０３と、データ格納部２０４、ドライブ部２０５、通信部２０６、接続ポート２０７、各部を相互に接続するローカルバス２０８とを備える。
【００３８】
コントロール部２０１は、ＣＰＵやＲＯＭ，ＲＡＭを用いて構成されている。ＣＰＵは、ＲＯＭに記憶されているプログラム、またはデータ格納部２０４からＲＡＭにロードされたプログラムを実行して、後述する入力部２０２からの操作信号に基づき、ユーザ操作に応じた各種の処理を実行する。例えばコントロール部２０１は、スケジュールの作成や、スケジュールにしたがったコンテンツの上映を再生装置４０で行わせる処理等を実行する。また、コントロール部２０１は、再生装置４０でコンテンツの上映を行うときに用いる鍵の管理を行うための管理画面を後述する表示部２０３に表示させる。さらに、コントロール部２０１は、管理画面において配列表示を行い、再生装置４０と上映されるコンテンツとによって示される配列位置に、配列位置に対応する再生装置４０で配列位置に対応するコンテンツを復号するときに用いる鍵の状態を示す表示を設ける。
【００３９】
コントロール部２０１のＲＯＭは、ＣＰＵが使用するプログラムや演算パラメータ等を記憶する。ＲＡＭは、ＣＰＵの実行において使用するプログラムや、その実行において適宜変化するパラメータ等を一時的に記憶する。
【００４０】
入力部２０２は、例えば、マウス、キーボード、タッチパネル、ボタン、スイッチ、レバー等を用いて構成されており、入力部２０２に対するユーザ操作に応じて操作信号をコントロール部２０１に出力する。ユーザは、この入力部２０２を操作することにより、管理装置２０に対して各種のデータを入力したり、処理動作を指示したりすることができる。
【００４１】
表示部２０３は、例えば、液晶ディスプレイ（ＬＣＤ）等の表示デバイスを用いて構成されている。この表示部２０３では、例えば、ディジタルシネマシステムの各再生装置４０で行われる上映動作を管理するための管理画面等の表示を行う。
【００４２】
データ格納部２０４は、例えばハードディスクやＳＳＤ（Solid State Drive）等を用いて構成されている。データ格納部２０４は、コントロール部２０１が実行するプログラムや、スケジュール情報、ログ、ショープレイリストなど、各種データを記憶する。
【００４３】
ドライブ部２０５は、着脱可能な記録媒体に対して、各種データの書き込み／読み出しを行う。例えば、記録媒体に記録されているディジタルシネマの素材コンテンツ、ＤＣＰ、構成情報などの各種データの読み出し等を行う。
【００４４】
通信部２０６は、例えば、無線や有線の通信路を介して管理装置２０を外部機器と接続するための通信デバイス等で構成された通信インタフェースである。管理装置２０は、通信部２０６を介して外部機器と各種データの送受信例えばコンテンツのデータ等の受信を行う。
【００４５】
接続ポート２０７は、管理装置２０をストレージ装置３０や再生装置４０と接続するためのポートである。この接続ポート２０７にストレージ装置３０や再生装置４０を接続して、管理装置２０とストレージ装置３０や再生装置４０との間で、種々のデータの通信を行う。
【００４６】
なお、管理装置２０は、図３に示す構成に限られるものではなく、例えば表示部が管理装置と別個に設けられた構成であってもよい。また、ドライブ部等が管理装置と別個に設けられた構成であってもよい。
【００４７】
再生装置４０は、コントロール部４０１、入力部４０２と、表示部４０３と、コンテンツ記憶部４０４、映像デコード部４０５、音声デコード部４０６、接続ポート４０７，４０８，４０９、各部を相互に接続するローカルバス４１０を備えている。また、再生装置４０には、プロジェクタ４１５、音声出力部４１６等が設けられている。
【００４８】
コントロール部４０１、入力部４０２、表示部４０３はそれぞれ、管理装置２０のコントロール部２０１、入力部２０２、表示部２０３と略同一の機能構成を有している。また、コントロール部４０１は、管理装置２０から供給されたスケジュール情報等に基づき各部を制御して、スケジュールにしたがったコンテンツの上映を行う。
【００４９】
コンテンツ記憶部４０４は、上映するコンテンツのデータを記憶する。映像デコード部４０５は、コンテンツの映像データが圧縮符号化されたデータであるとき、この圧縮符号化されたデータを復号（デコード）する。音声デコード部４０６は、コンテンツの音声データが圧縮符号化されたデータであるとき、この圧縮符号化されたデータを復号（デコード）する。また、映像デコード部４０５と音声デコード部４０６は、映像や音声のデータが暗号化されているとき、管理装置２０から提供された鍵を用いて、暗号化されている映像データや音声データの復号（デクリプト）を行う。
【００５０】
接続ポート４０７は、再生装置４０を、管理装置２０やストレージ装置３０と接続するためのポートである。この接続ポート４０７により、管理装置２０とストレージ装置３０と再生装置４０との間で各種のデータの通信が可能となる。
【００５１】
接続ポート４０８は、プロジェクタ４１５を接続するためのポートである。接続ポート４０９は、音声出力部４１６を接続するためのポートである。
【００５２】
プロジェクタ４１５は、コンテンツ記憶部４０４から読み出された映像データや映像デコード部４０５で復号（デコードおよび／またはデクリプト）された映像データに基づき、スクリーンにコンテンツの映像を投影する。
【００５３】
音声出力部４１６は、増幅器やスピーカ等を用いて構成されている。音声出力部４１６は、コンテンツ記憶部４０４から読み出された音声データや音声デコード部４０６で復号（デコードおよび／またはデクリプト）された音声データに基づき、コンテンツの音声出力を行う。
【００５４】
＜４．管理装置の動作＞
管理装置２０のコントロール部２０１は、暗号化されているコンテンツを復号するときに用いる鍵の管理を行うための管理画面を表示部２０３に表示する。コントロール部２０１は、管理画面において配列表示を行い、再生装置と上映されるコンテンツとによって示される配列位置に、この配列位置に対応する再生装置でこの配列位置に対応するコンテンツを復号するときに用いる鍵の状態を示す表示を設ける。また、コントロール部２０１は、鍵の状態を示す表示によって、鍵の取得状態と鍵の有効期間に関する状態の少なくともいずれかの状態を識別可能とする。さらに、コントロール部２０１は、コンテンツを上映するための有効な鍵が存在しないとき、上映日までの日数に応じて緊急度の判別を行う。コントロール部２０１は、有効な鍵が存在しないコンテンツと該コンテンツの上映を行う再生装置とによって示される配列位置の表示属性を緊急度に応じて切り替えて、緊急度を識別可能とする。
【００５５】
図４は、鍵の管理を行うための管理画面を例示している。管理画面では、例えば再生装置と再生装置で上映されるコンテンツのいずれか一方を列項目、他方を行項目とした配列表示を行う。また、管理画面において、再生装置と上映されるコンテンツとによって示される配列位置に、配列位置に対応する再生装置で上映されるコンテンツに対応した鍵についての状態を示すアイコンを設ける。なお、図４では、ＤＣＰを行項目、ストレージ装置３０と再生装置４０が設けられているオーディトリアムを列項目とした配列表示を行う場合を示している。また、この配列表示をＤＣＰ／ＫＤＭリスト表示という。
【００５６】
管理画面では現在の日時を示す表示ＧＵａと、メニュー項目「Ｓｔａｔｕｓ」「Ｓｃｈｅｄｕｌｅ」「Ｓｈｏｗ／Ｐｒｏｇｒａｍ」「Ａｓｓｅｔ」「Ｃｏｎｆｉｇｕｒａｔｉｏｎ」を示すボタン表示ＧＵｂが設けられている。ここで、メニュー項目「Ａｓｓｅｔ」が選択されたとき、ＤＣＰ／ＫＤＭリスト表示ＧＵｃが画面上に表示される。
【００５７】
図４に示すＤＣＰ／ＫＤＭリスト表示ＧＵｃは、ストレージ装置とオーディトリアムを列項目、コンテンツや鍵を行項目とした配列表示とされている。なお、図４では、ストレージ装置を示す「ＣＳ」とオーディトリアムＮｏ１からＮｏ１６までが列項目として示されている。また、ＤＣＰ／ＫＤＭリスト表示ＧＵｃにはスクロールバーが設けられており、スクロールバーを操作することで、所望のオーディトリアムや所望のコンテンツについての表示を行うことができるようになされている。
【００５８】
ＤＣＰ／ＫＤＭリスト表示ＧＵｃでは、オーディトリアムの再生装置等と上映されるコンテンツ等とによって示される配列位置に、配列位置に対応する再生装置で配列位置に対応するコンテンツの状態を示すアイコンが設けられる。また、オーディトリアムの再生装置等と上映されるコンテンツ等とによって示される配列位置に、配列位置に対応する再生装置で配列位置に対応するコンテンツを復号するときに用いる鍵の状態等を示すアイコンが設けられる。また、緊急度に応じてＤＣＰ／ＫＤＭリスト表示の属性が切り替えられる。例えば、緊急度に応じて該当する表示領域の背景色の切り替えが行われる。
【００５９】
なお、メニュー項目「Ｓｔａｔｕｓ」は各再生装置の動作状態等を管理するときに選択される項目である。メニュー項目「Ｓｃｈｅｄｕｌｅ」は、各再生装置における上映スケジュール等を管理するときに選択される項目である。メニュー項目「Ｓｈｏｗ／Ｐｒｏｇｒａｍ」は、ショープレイリストやＣＰＬ等を管理するときに選択される項目である。メニュー項目「Ｃｏｎｆｉｇｕｒａｔｉｏｎ」は、種々の設定等を行うときに選択される項目である。
【００６０】
ＤＣＰ／ＫＤＭリスト表示では、コンテンツの状態に関して例えば以下に示す４つの状態が表示される。
コンテンツ状態１）コンテンツのデータがストレージ装置３０、各ホールの再生装置４０に記憶されているか否か。
コンテンツ状態２）コンテンツのデータが暗号化されているか否か。
コンテンツ状態３）コンテンツが３Ｄ映像用であるか否か。
コンテンツ状態４）スケジュールに対するコンテンツ準備の緊急度。
【００６１】
また、ＤＣＰ／ＫＤＭリスト表示では、ＫＤＭの状態に関して例えば以下に示す５つの状態が表示される。
ＫＤＭ状態１）鍵がストレージ装置３０、各ホールの再生装置４０に記憶されているか否か。
ＫＤＭ状態２）鍵が現在の時刻に対して有効であるか否か。
ＫＤＭ状態３）鍵の有効期間の状態。
ＫＤＭ状態４）スケジュールに対する鍵準備の緊急度。
ＫＤＭ状態５）鍵の有効期間。
【００６２】
図５は、コントロール部２０１の動作を示すフローチャートである。ステップＳＴ１でコントロール部２０１は、コンテンツとＫＤＭについて状態表示を行う。コントロール部２０１は、コンテンツ状態１〜２とＫＤＭ状態１〜３について、例えばアイコンを用いた表示を行う。また、コントロール部２０１は、コンテンツ状態３について、例えば３Ｄ映像用であることを示す文字「３Ｄ」の表示を行う。
【００６３】
図６は、コンテンツの状態を表示するときに用いるアイコンを例示している。コントロール部２０１は、コンテンツのデータが記憶されているとき、リール画像のアイコンを表示する。また、コントロール部２０１は、コンテンツのデータが暗号化されているとき、錠を示したリール画像のアイコンを表示する。なお、コントロール部２０１は、コンテンツが記憶されていないとき、アイコンを表示しない、またはハイホン「−」の表示を行う。
【００６４】
図７は、ＫＤＭの状態を表示するときに用いるアイコンを例示している。なお、アイコンでは、鍵の取得状態と鍵の有効期間に関する状態の少なくともいずれかの状態を識別可能とする。
【００６５】
コントロール部２０１は、鍵が記憶されているとき鍵画像のアイコンを表示する。コントロール部２０１は、鍵が記憶されていないとき、アイコンを表示しない、またはハイホン「−」を表示する。  コントロール部２０１は、鍵が現在時刻において有効であるとき鍵画像を第１の色として、鍵が現在時刻において無効であるとき鍵画像を第２の色とする。また、コントロール部２０１は、鍵が現在時刻において有効であって、有効期間がα時間以内である場合、時計画像を示した鍵画像のアイコンを表示する。さらに、コントロール部２０１は、鍵が現在時刻において無効であるとき、鍵の有効期間よりも現在時刻が前であるときは、注意マーク（感嘆符）を示した鍵画像のアイコンを表示する。また、コントロール部２０１は、鍵の有効期間が切れているとき、無効マーク（バツ印）を示した鍵画像のアイコンを表示する。
【００６６】
鍵が有効であるときに行われるアイコンの切り替えでは、例えば図８に示すようにアイコン切り替え時間設定画面を設けて、この設定画面で上映オペレータがα時間を設定可能とする。
【００６７】
ここで、図８に示すようにメニュー項目「Ｃｏｎｆｉｇｕｒａｔｉｏｎ」が選択されたときは、例えば７つのタブＧＵｄの表示が行われる。具体的には、「Ｇｅｎｅｒａｌ」「Ｓｔａｔｕｓ」「Ｓｃｈｅｄｕｌｅ」「Ｓｈｏｗ／Ｐｒｏｇｒａｍ」「Ａｓｓｅｔ」「Ａｕｄｉｔｏｒｉｕｍ」「Ｕｓｅｒ／Ｒｏｌｅ」のタブが表示される。ここで、「Ａｓｓｅｔ」のタブが選択されたとき、アイコン切り替え時間設定表示ＧＵｅが画面上に表示される。
【００６８】
アイコン切り替え時間設定表示ＧＵｅでは、上方向のスピンコントロールアローと下方向のスピンコントロールアローが設けられており、スピンコントロールアローを操作してα時間を増減させることが可能とされている。したがって、上映オペレータは、スピンコントロールアローを操作することで、α時間を所望の時間に設定することができる。また、スピンコントロールアローを操作するだけでなく、数字の入力操作を行って、α時間を所望の時間に設定してもよい。
【００６９】
図９は、コンテンツ状態３についての表示例を示している。図９では、ＤＣＰ／ＫＤＭリスト表示において、ＤＣＰのタイトル表示部分を示している。ここで、コントロール部２０１は、コンテンツが３Ｄ映像用の場合、コンテンツタイトルの後に「３Ｄ」の文字を表示する。例えばタイトル「Ｃｏｌｏｒ’ｓ」のＣＰＬ１において、３Ｄ映像用のコンテンツのデータを用いることが示されているとき、「３Ｄ」の表示を設ける（矢印で示す位置）。
【００７０】
このようにしてコンテンツとＫＤＭについての状態表示が行われると、図１０に示すＤＣＰ／ＫＤＭリスト表示ＧＵｃを生成できる。なお、図１０では、列項目にコンテンツのタイトルおよび暗号化されているコンテンツに対応するＫＤＭの項目を設けた場合を示している。したがって、このＤＣＰ／ＫＤＭリスト表示を参照すれば、コンテンツ毎にストレージ装置や各再生装置での記憶状態をリール画像のアイコンによって容易に判別できる。さらに鍵を示したリール画像のアイコンによって、いずれのコンテンツが暗号化されているかを容易に判別できる。さらに、鍵画像のアイコンによって、ストレージ装置や各再生装置における鍵の取得状況を容易に判別できる。また、鍵画像のアイコンの違いによって、鍵の有効状態を把握することも容易となる。なお、図１０では、列項目にコンテンツのタイトルおよび暗号化されているコンテンツに対応するＫＤＭの項目を別個に設けた場合を示しているが、１つの配列位置にリール画像のアイコンと鍵画像のアイコンを設けるようにしてもよい。また、１つのアイコンで鍵の状態とコンテンツの状態を示すようにしてもよい。
【００７１】
図５に戻り、ステップＳＴ２でコントロール部２０１は、確認項目に該当するか否か判別する。コントロール部２０１は、コンテンツ状態１とＫＤＭ状態１に基づいて下記の確認項目に該当するか否か判別する。
確認項目１）上映時間に有効な鍵が再生装置に存在しているか。
確認項目２）必要なコンテンツが再生装置に記憶されているか。
【００７２】
ステップＳＴ３でコントロール部２０１は、全ての確認項目に該当しているか否かを判別する。コントロール部２０１は、全ての確認項目に該当していると判別したときステップＳＴ４に進み、いずれかの確認項目が該当していないときはステップＳＴ５に進む。
【００７３】
ステップＳＴ４でコントロール部２０１は、正常表示を行う。コントロール部２０１は、確認項目が全て該当しており、上映の準備が完了していることから、ＤＣＰ／ＫＤＭリスト表示において、確認項目が全て該当したときの再生装置と上映されるコンテンツとによって示される配列位置の背景色を正常状態とする。例えば、背景色を白色として正常状態であることを識別可能とする。また、上映の予定がない場合、緊急度に関係がないことから背景色を白色とする。
【００７４】
ステップＳＴ５でコントロール部２０１は、緊急度の判別を行う。コントロール部２０１は、チェックテーブルを用いて、上映日までの日数に応じて緊急度の判別を行う。
【００７５】
図１１はチェックテーブルを例示している。図１１の（Ａ）は、ＤＣＰチェックテーブルである。ＤＣＰチェックテーブルは、確認項目２が該当しないときに、緊急度の判定に用いるチェックテーブルである。図１１の（Ｂ）は、ＫＤＭチェックテーブルである。ＫＤＭチェックテーブルは、確認項目１が該当しないときに、緊急度の判定に用いるチェックテーブルである。
【００７６】
図１１では、例えば緊急度に関する状態として「致命的な状態」「エラー状態」「ワーニング状態」の３つの状態を設定しており、「致命的な状態」を緊急度３、「エラー状態」を緊急度２、「ワーニング状態」を緊急度１としている。「致命的な状態」とは、上映に支障を来すことがないように、速やかに対処する必要がある状態である。「ワーニング状態」とは、速やかに対処する必要はないが、対処しないと上映に支障を来す状態である。「エラー状態」とは、「致命的な状態」と「ワーニング状態」の中間の状態であり、例えば上映の準備を行うことができるようにしておく状態である。
【００７７】
チェックテーブルでは、「致命的な状態」「エラー状態」「ワーニング状態」の３つの状態のいずれであるかを識別可能とする閾値（日数）を設定しておく。また、設定されている閾値と上映日までの日数との比較結果に応じて、いずれの状態であるか識別して、識別結果に基づき緊急度の判別を行う。
【００７８】
コンテンツのデータを再生装置４０に記憶させるまでには、種々の処理時間が必要となる。例えば、コンテンツのデータが劇場に届くまでの時間、ストレージ装置３０にコンテンツのデータをコピーする時間、ストレージ装置３０から再生装置４０にコンテンツのデータを転送して記憶させる時間が必要となる。したがって、図１１の（Ａ）に示すＤＣＰチェックテーブルにおける閾値Ｍｄ，Ｎｄは、これらの時間を考慮して設定しておく。例えば、コンテンツのデータが劇場に届く日が上映開始日の４〜５日前であるとしたとき、ＤＣＰチェックテーブルにおける閾値を「Ｍｄ＝２，Ｎｄ＝５」に設定する。
【００７９】
このように閾値Ｍｄ，Ｎｄを設定すると、確認項目２が該当しないとき、図１２の（Ａ）に示すように、上映５日前よりもさらに前の日であるときは、緊急度１と判別される。また、上映５日前から上映３日前の期間では、緊急度２と判別される。さらに、上映２日前から上映日の期間では、緊急度３と判別される。
【００８０】
また、鍵についてもコンテンツのデータと同様に、再生装置４０に記憶させるまでには、種々の処理時間が必要となる。例えば、鍵が劇場に届くまでの時間、ストレージ装置３０に鍵をコピーする時間、ストレージ装置３０から再生装置４０に鍵を転送して記憶させる時間が必要となる。したがって、図１１の（Ｂ）に示すＫＤＭチェックテーブルにおける閾値Ｍｋ，Ｎｋは、これらの時間を考慮して設定しておく。例えば、鍵の届く日が上映開始日の２〜３日前であるとしたとき、ＫＤＭチェックテーブルにおける閾値を「Ｍｋ＝２，Ｎｋ＝３」に設定する。
【００８１】
このように閾値Ｍｋ，Ｎｋを設定すると、確認項目１が該当しないとき、図１２の（Ｂ）に示すように、上映３日前よりもさらに前の日であるときは、緊急度１と判別される。また、上映３日前では、緊急度２と判別される。さらに、上映２日前から上映日の期間では、緊急度３と判別される。
【００８２】
図１３は、緊急度設定表示を示している。緊急度設定表示では、ＤＣＰチェックテーブルにおける閾値Ｍｄ，Ｎｄ、ＫＤＭチェックテーブルにおける閾値Ｍｋ，Ｎｋが設定可能とされている。
【００８３】
図１３に示すようにメニュー項目「Ｃｏｎｆｉｇｕｒａｔｉｏｎ」が選択されたときは、上述のように７つのタブＧＵｄの表示が行われる。ここで、「Ｓｃｈｅｄｕｌｅ」のタブが選択されたとき、緊急度設定表示ＧＵｆが画面上に表示される。
【００８４】
緊急度設定表示ＧＵｆでは、ＤＣＰチェックテーブルにおける閾値Ｍｄ，Ｎｄ、ＫＤＭチェックテーブルにおける閾値Ｍｋ，Ｎｋのそれぞれに対して、上方向のスピンコントロールアローと下方向のスピンコントロールアローが設けられている。また、緊急度設定表示ＧＵｆでは、スピンコントロールアローを操作して、閾値を増減させることが可能とされている。したがって、上映オペレータは、スピンコントロールアローを操作することで、閾値を所望の日数に設定することができる。また、スピンコントロールアローを操作するだけでなく、数字の入力操作を行って、閾値を設定してもよい。なお、図１３において、「ＤＣＰ Ｆａｔａｌ ｓｔａｔｕｓ」は閾値Ｍｄ、「ＤＣＰ Ｅｒｒｏｒ ｓｔａｔｕｓ」は閾値Ｎｄに相当する。また、「ＫＤＭ Ｆａｔａｌ ｓｔａｔｕｓ」は閾値Ｍｋ、「ＫＤＭ Ｅｒｒｏｒ ｓｔａｔｕｓ」は閾値Ｎｋに相当する。
【００８５】
このようにして、コントロール部２０１は、コンテンツ状態４におけるコンテンツ準備の緊急度と、ＫＤＭ状態４における鍵準備の緊急度を判別する。
【００８６】
図５に戻り、ステップＳＴ６でコントロール部２０１は、ステップＳＴ５で判別された緊急度に基づいて、緊急度表示を行う。コントロール部２０１は、緊急度に応じて表示の属性を切り替えて、ＤＣＰ／ＫＤＭリスト表示で緊急度を認識できるようにする。図１４は、緊急度に応じた表示の属性切り替えを例示している。例えば緊急度に応じたて表示の背景色を切り替える。なお、図１４では、緊急度３の場合に背景色を「赤色」、緊急度２の場合に背景色を「橙色」、緊急度１の場合に背景色を「黄色」としている。なお、通信等の異常によって緊急度の判定が行えないときは、不明な状態であることを識別可能とするため、正常状態や緊急度に応じた色とは異なる色、たとえば灰色に設定する。
【００８７】
ステップＳＴ７でコントロール部２０１は、有効期間表示機能を動作させる。コントロール部２０１は、ＤＣＰ／ＫＤＭリスト表示において、鍵画像のアイコンが選択されたとき、選択されたアイコンに対応する鍵の有効期間を表示する有効期間表示機能を動作させて処理を終了する。
【００８８】
図１５は、緊急度表示と有効期間表示を行ったときのＤＣＰ／ＫＤＭリスト表示を例示している。コントロール部２０１は、再生装置と上映されるコンテンツとによって示される配列位置に、この配列位置に対応する再生装置で配列位置に対応するコンテンツを復号するときに用いる鍵の状態やコンテンツの状態を示す表示を設ける。また、コントロール部２０１は、この鍵やコンテンツについて判別した緊急度に応じて配列位置の背景色を切り替える。さらに、カーソル表示が鍵画像のアイコンの位置とされたとき、カーソル表示ＧＵｇで示された位置に対応する鍵の有効期間を例えばバルーン表示ＧＵｈで表示する。
【００８９】
このようにしてＤＣＰ／ＫＤＭリスト表示を行えば、鍵の状態すなわち取得状況や有効期限の状態等を、容易に管理できるようになる、また、コンテンツの状態も表示することで、鍵だけでなくコンテンツも容易に管理できるようになる。さらに、緊急度に応じて表示の属性を切り替えることで、いずれのコンテンツや鍵について速やかに対処する必要が生じているか、容易に把握できる。すなわち、優先順位をつけて鍵の準備やコンテンツの準備を行うことができるようになる。さらに、スケジュールに対して、何が必要であるかを緊急度の色分けによって一目で認識できるため、オペレーションミスを少なくできる。
【００９０】
また、この発明のディジタルシネマ管理装置とディジタルシネマ管理方法を、コンピュータ装置で実現するようにしてもよい。この場合、コンピュータ装置をディジタルシネマ管理装置のように機能させるコンピュータ・プログラムは、例えば、様々なプログラム・コードを実行可能な汎用コンピュータ・システムに対して、コンピュータ可読な形式で提供できるようにする。例えば、光ディスクや磁気ディスク、半導体メモリなどの記憶媒体、あるいは、ネットワークなどの通信媒体によってコンピュータ・プログラムと提供できるようにする。このようにコンピュータ・プログラムをコンピュータ可読な形式で提供することにより、コンピュータ装置上でコンピュータ・プログラムに応じた処理が行われて、上述したディジタルシネマ管理装置とディジタルシネマ管理方法を実現することが可能となる。
【００９１】
なお、本発明は、上述した発明の実施の形態に限定して解釈されるべきではない。この発明の実施の形態は、例示という形態で本発明を開示しており、本発明の要旨を逸脱しない範囲で当業者が実施の形態の修正や代用をなし得ることは自明である。すなわち、本発明の要旨を判断するためには、特許請求の範囲を参酌すべきである。
【産業上の利用可能性】
【００９２】
この発明のディジタルシネマ管理装置とディジタルシネマ管理方法では、コンテンツの上映を行うときに用いる鍵の管理を行う管理画面において配列表示が行われて、再生装置と上映されるコンテンツとによって示される配列位置に、この配列位置に対応する再生装置でこの配列位置に対応するコンテンツを復号するときに用いる鍵の状態を示す表示が設けられる。このため、暗号化されているコンテンツを復号するための鍵の取得状況等を容易に把握できるようになる。したがって、複数のオーディトリアムで上映スケジュールにしたがってコンテンツを上映する場合に好適である。
【符号の説明】
【００９３】
１０・・・ディジタルシネマシステム、２０・・・管理装置、３０・・・ストレージ装置、４０・・・再生装置、２０１，４０１・・・コントロール部、２０２，４０２・・・入力部、２０３，４０３・・・表示部、２０４・・・データ格納部、２０５・・・ドライブ部、２０６・・・通信部、２０７，４０７，４０８，４０９・・・接続ポート、２０８，４１０・・・ローカルバス、４０４・・・コンテンツ記憶部、４０５・・・映像デコード部、４０６・・・音声デコード部、４１５・・・プロジェクタ、４１６・・・音声出力部
【図２】
2010233070.tif 000003
【図３】
2010233070.tif 000004
【図５】
2010233070.tif 000005
【図９】
2010233070.tif 000006
【図１１】
2010233070.tif 000007
【図１】
2010233070.tif 000008
【図４】
2010233070.tif 000009
【図６】
2010233070.tif 000010
【図７】
2010233070.tif 000011
【図８】
2010233070.tif 000012
【図１０】
2010233070.tif 000013
【図１２】
2010233070.tif 000014
【図１３】
2010233070.tif 000015
【図１４】
2010233070.tif 000016
【図１５】
2010233070.tif 000017